(57)【要約】【課題】大口径の給水・給湯配管にも接続可能な薄肉型貯湯タンク及びこれを用いた貯湯・給湯システムを提供する。【解決手段】不図示の給湯栓が開かれると、タンク上部の高温水は流出口１１を通過して、給湯出側７、不図示の給湯ラインを経由して需要に供される。給湯供給に伴いタンク内の水圧が低下するため、給水ラインから水道水が補給されることになる。この場合、水道水が流入口１０を通過してタンク下部に流入するが、貯湯タンク１内に既に蓄えられている温水の温度が高いため、補給される水道水と温水は混合することなく、２層を形成した状態で給湯需要に応じて境界面が押し上げられていくことになる。このため、冷水を補給しても供給される給湯水の温度は高温に維持される。【選択図】図１
2004156837.tif 000002
【特許請求の範囲】
【請求項１】
給水入側から給湯出側に至る貫通管を備え、貫通管内部は隔壁により流入部と流出部とに区画され、かつ、流入部には給水入側から流入する冷水をタンク内に導入する流入口を備え、流出部にはタンク内加温水を前記給湯出側に導出する流出口を備え、て成ることを特徴とする貯湯タンク。
【請求項２】
前記給水入側と前記給湯出側の近傍にはそれぞれ補強部材を備え、かつ、各補強部材は前記貯湯タンクの外面に接合され、前記貫通管は前記各補強部材に接合されて成る、ことを特徴とする請求項１に記載の貯湯タンク。
【請求項３】
請求項１又は２に記載の貯湯タンクにおいて、さらに内部に熱交換器を備えて成ることを特徴とする貯湯タンク。
【請求項４】
前記隔壁は、前記貫通管を管軸に対して垂直方向に区画して成ることを特徴とする請求項１乃至３に記載の貯湯タンク。
【請求項５】
前記隔壁は、前記貫通管を管軸に対して実質的に平行方向に区画して成ることを特徴とする請求項１乃至３に記載の貯湯タンク。
【請求項６】
前記貫通管が、前記流入部又は前記流出部を構成する複数の管群から構成されて成ることを特徴とする請求項１乃至３又は５に記載の貯湯タンク。
【請求項７】
請求項５乃至７のいずれかに記載の貯湯タンクにおいて、前記流入口を前記流入部の下端部に設け、前記流出口を前記流出部の上端部に設け、て成ることを特徴とする貯湯タンク。
【請求項８】
請求項１乃至６に記載の貯湯タンクを複数基、直列又は並列に接続して成ることを特徴とする貯湯システム。
【請求項９】
請求項４に記載の貯湯タンクと請求項７に記載の貯湯タンクとを交互に配置し、かつ、これらを直列に接続して成ることを特徴とする貯湯システム。
【発明の詳細な説明】
【０００１】
【発明の属する技術分野】
本発明は貯湯タンク及び貯湯システムに係り、特に大口径配管に接続可能な貯湯タンク及び貯湯システムに関する。
【０００２】
【従来の技術】
近年、コ・ジェネレーション等で発生する排熱を給湯・暖房等に利用するための比較的小規模の貯湯式給湯システムが提案されている（例えば特許文献１参照）。
【０００３】
【特許文献１】
特開２００２−１３８１１号公報
このようなシステムに用いられる貯湯タンクとしては、コストダウンの要請から一般に薄肉型（板厚が１．０ｍｍ乃至１．５ｍｍの薄肉材料）タンクを用いることが望ましい。この場合、給水・給湯配管と接続する必要があるが、配管を直接タンクの外板に溶接すると配管の自重、曲げモーメント等による応力に耐えることができない。これを防止するため、予めタンク外板に補強部材（ボス）を溶接し、給水・給湯配管をボスに溶接することにより強度を確保している。
【０００４】
しかし、このような方法によっても、接続可能な配管口径は呼び径５０Ａ（外径６０．５ｍｍ、管厚１．５ｍｍ）程度が限度であり、これを超える大口径の接続は困難であった。従って、業務用需要家等で多く用いられている５０Ａを超える給水・給湯配管と接続する場合には、タンク外板に肉厚材料を用いざるを得ないことから、コストアップ要因となるという問題があった。
【０００５】
【発明が解決しようとする課題】
本発明は上記課題を解決するためのものであって、大口径の給水・給湯配管にも接続可能な貯湯タンク及びこれを用いた貯湯システムを提供するものである。
【０００６】
【課題を解決するための手段】
上記課題を解決するために本発明は以下の内容を要旨とする。
（１）給水入側から給湯出側に至る貫通管を備え、貫通管内部は隔壁により流入部と流出部とに区画され、かつ、流入部には給水入側から流入する温水をタンク内に導入する流入口を備え、流出部にはタンク内温水を給湯出側に導出する流出口を備えて成ることを特徴とする貯湯タンク。
【０００７】
本発明によれば、貯湯タンクの温水入口側と温水出口側を貫通する貫通管を設けて、給水・給湯配管を貫通管と直接接合する構造とするため、従来不可能であった薄肉の貯湯タンクに大口径の給水・給湯配管を接続することが可能となる。
なお、以下の説明において、「給水」とは必ずしも水道からの給水供給のみならず、複数の貯湯タンクを直列又は並列に接続する場合等に、前段の貯湯タンクから導かれる温水を含む概念である。また、「給水入側」、「給湯出側」とは、後述するように給湯需要がない場合の温水の流れに沿った呼称であり、給湯需要が生じた場合は入出が逆になる。
（２）給水入側と給湯出側の近傍にはそれぞれ補強部材を備え、かつ、各補強部材は貯湯タンクの外面に接合され、貫通管は各補強部材に接合されて成ることを特徴とする上記（１）に記載の貯湯タンク。
【０００８】
かかる接合方式の採用により、貫通管に配管を接続した際に強度が確保できる。
なお、「接合」としては溶接が広く用いられるが、接合強度を確保できる他の接合手段を用いることもできる。
（３）上記（１）又は（２）に記載の貯湯タンクにおいて、さらに内部に熱交換器を備えて成ることを特徴とする貯湯タンク。
（４）上記隔壁は、貫通管を管軸に対して垂直方向に区画して成ることを特徴とする上記（１）乃至（３）に記載の貯湯タンク。
（５）隔壁は、貫通管を管軸に対して実質的に平行方向に区画して成ることを特徴とする（１）乃至（３）に記載の貯湯タンク。
（６）貫通管が、流入部又は流出部を構成する複数の管群から構成されて成ることを特徴とする（１）乃至（３）又は５に記載の貯湯タンク。
（７）上記（５）又は（６）に記載の貯湯タンクにおいて、流入口を流入部の下端部に設け、流出口を流出部の上端部に設けて成ることを特徴とする貯湯タンク。
（８）上記（１）乃至（５）に記載の貯湯タンクを複数基、直列又は並列に接続して成ることを特徴とする貯湯システム。
【０００９】
（９）上記（４）に記載の貯湯タンクと上記（５）乃至（７）のいずれかに記載の貯湯タンクとを交互に配置し、かつ、これらを直列に接続して成ることを特徴とする貯湯システム。
【００１０】
【発明の実施の形態】
以下、本発明の実施形態について、図１乃至図６を参照してさらに詳細を説明する。なお、以下の実施形態は例示であって、本発明の範囲は各実施形態に限定されないことはいうまでもない。
図１は本発明の一実施形態に係る貯湯タンク１の断面を示す図である。本実施形態に係る貯湯タンク１は、タンク本体２、本体２内部を貫き両端部が本体２の外面に突出する貫通管５、本体２内部下方に配置され、熱媒を介してコジェネ排熱をタンク内の水に与えるための熱交換コイル８、を主要構成としている。
【００１１】
本体２は、円筒部２ａとこれと接合する上下の円蓋部２ｂ、２ｃにより構成されている。
貫通管５は、上端部、下端部がそれぞれ給水・給湯配管に接続する直管形状をなしている。貫通管５内部の中央には隔壁１２が設けられており、これにより貫通管５の内部は２つのセクション、流入部５ａ及び流出部５ｂに区画されている。
貫通管５下端は給水入側６であり、貫通管５の上流側に設けられたエルボ管６ｂ、入水管６ａ、フランジ６ｃにより構成されている。フランジ６ｃのさらに上流側は不図示の水道供給管に接続されている。貫通管５上端は給湯出側７であり、貫通管５の下流に設けられたエルボ管７ｂ、短管７ａ、フランジ７ｃにより構成されている。フランジ７ｃの下流側は不図示の給湯配管に接続されている。
【００１２】
貫通管５の下端近傍には給水入側６を経由して供給される水道水をタンク下部に導入するための流入口１０が設けられており、また、貫通管５の上端近傍にはタンク上部に貯留する温水を給湯出側７に導くための流出口１１が設けられている。
【００１３】
貫通管５が貫通する円蓋部２ｂ、２ｃの開口部の周囲には補強部材（ボス）１３、１４が設けられており、これらは本体２及び貫通管５と溶接されている。すなわち、本体２と貫通管５は、補強部材１３又は１４を介して間接的に接合されていることになる。このような接合方法により、配管時等における曲げ、捩れ等の変形応力に耐えうるように構成されている。
【００１４】
熱交換コイル８内には、コジェネ熱源（図示せず）の排熱を回収した熱媒が循環しており、タンク内の水と熱交換するように構成されている。なお、タンク内上部には温度センサ（図示せず）が設置されており、水温が所定の値に達すると熱媒の循環を停止するように構成されている。
【００１５】
貯湯タンク１の仕様は使用用途により適宜選択しうるが、例えば以下の仕様とすることができる。まず、貯湯タンク１の主要構成部品としてステンレス材を用いることができる。また、円筒部と円蓋部の板厚を約２ｍｍ程度とすることができる。さらに、貫通管５及びこれに接続する配管の管径は呼び径１００Ａ（外径１３９．８ｍｍ）とし、接合を全て溶接にすることができる。
【００１６】
貯湯タンク１は上述のように構成されており、次に貯湯タンク１の貯湯・給湯機能について説明する。なお、以下の説明ではタンク内が空の状態から水道水が充填され、昇温される状況を想定する。水道供給ライン（図示せず）から供給される水道水は、給水入側６を経由して貫通管５の流入部５ａに導かれ、さらに流入口１０を通過してタンク内の下部に流入する。流入は貯湯タンク１が所定の水位になるまで行われる。タンク内の水は、熱交換コイル８内を循環する熱媒から受熱して所定の温度になるまで昇温し、タンク内に高温水として蓄えられる。
【００１７】
次に、このようにして蓄えられた高温水が給湯需要に供される際の作用について説明する。給湯ライン（不図示）の末端に設けられた給湯栓（不図示）が開かれると、タンク上部の高温水は流出口１１を通過して、流出部５ｂ、給湯出側７、さらに不図示の給湯ラインを経由して需要に供される。給湯供給に伴いタンク内の水位が所定の水位以下に低下すると、給水ラインから水道水が補給される。
この場合、水道水は流入口１０を通過してタンク下部に流入するが、貯湯タンク１内に既に蓄えられている高温水と補給水道水とは混合することなく、境界層を介して２層を形成する。そして、補給水道水により構成される低温層は既存の高温水の層をタンク上部に押し上げていく。このため、高温水層の温水が給湯により消費されるまでは、水道水を補給しても高温水の温度は維持されることになる。
【００１８】
なお、本実施形態では貯湯タンク１基で給湯する形態としたが、これに限らず、後述のように本発明に係る複数の貯湯タンクを直列に設置し、前段の貯湯タンクで暖められた温水を次段の貯湯タンクに順次供給し、最終段の貯湯タンクから給湯する形態とすることもできる。さらに、複数の貯湯タンクを、直列ではなく並列に設置する形態とすることもできる。
【００１９】
また、貯湯タンク本体及び貫通管の断面形状は円形としたが、これに限らず、適宜、最適の形状を選択することができる。
次に本発明の第二の実施形態について図２を参照して説明する。同図は本実施形態に係る貯湯タンク２０の断面を示す図である。貯湯タンク２０が第一の実施形態における貯湯タンク１と異なる点は、貯湯タンク１については貫通管５の隔壁１２が管軸に対して垂直に設けられているのに対し、貯湯タンク２０については隔壁２３が管軸に対して平行に配置されていることである。これにより、貫通管２２は管軸に平行な２つのセクション、流入部２２ａと流出部２２ｂに区画されることになる。なお、同図では隔壁２３は断面として示されているが、実際には貫通管２２と接する部分は貫通管２２の内壁と溶接されており、流入部２２ａと流出部２２ｂは互いにシールされている。さらに本実施形態においては、本体２１と貫通管２２が補強部材（ボス）を介さず直接溶接２８されている点も異なる。すなわち、同図では示されていないが、本体２１の上下開口部２４，２５の周囲はバーリング加工されており、貫通管２２を本体２１と直接溶接しても強度的に問題ないように構成されている。その他の構成については第一の実施形態と同様である。貫通管２２の下部には水道水をタンク下部に導くための流入口２６が、貫通管２２の上部には温水を給湯するための流出口２７が設けられている点についても同様である。なお、貯湯タンク２０についても、貫通管２２の両端部の上流側、下流側は、それぞれエルボ、直管、フランジにより構成されているが、図２ではこれらを省略して示してある。なお、本実施形態においては、本体２１の上下開口部２４，２５の周囲はバーリング加工としたが、これに限らず補強部材を用いて接合することも勿論可能である。
【００２０】
本実施形態における貯湯タンク２０の貯湯給湯作用については、第一の実施形態とほぼ同一であるので説明を省略する。
なお、本実施形態では、隔壁は管軸に対して垂直に設けられているが、これに限らず同一の貯湯効果を持つような流入口及び流出口の位置関係を保てば、管軸を切るように所定の角度を以って設けることもできる。
次に、本発明の第三の実施形態について図３をも参照して説明する。同図は、本実施形態に係る貯湯タンク３０を示すものである。貯湯タンク３０が貯湯タンク２０と異なる点は、貫通管両端部の構成である。すなわち、図２において、貯湯タンク２０の貫通管２２の口径は全て同一（外径Ｄ１）であるのに対して、貯湯タンク３０においては、貫通管３２の口径はタンク外部では貯湯タンク２０と同一（外径Ｄ１）であるが、タンク内部ではさらに太くなっている（外径Ｄ２）。その他の構成は、隔壁３３が管軸に対して平行に設けられている点を含め、貯湯タンク２０と同一である。
【００２１】
貯湯タンク３０は、このような構成であるため、隔壁３３で区画される流入部３２ａと流出部３２ｂの断面積を第二の実施形態の貯湯タンク２０と比較して大きくとることができる。これによりタンク内への流入、タンク外への流出抵抗を小さくすることができ、給湯性能をより向上させることができる。
【００２２】
さらに本発明の第四の実施形態について、図４をも参照して説明する。同図は、本実施形態に係る貯湯タンク５０を示している。貯湯タンク５０が貯湯タンク２０と異なる点は、給水入側と給湯出側とが上下逆転していること、及び隔壁５３が貯湯タンク２０の隔壁２３と比較して鏡面対称に設けられていることである。すなわち、貯湯タンク５０においては、水道水は貫通管５２の上端側５４から流入部５２ａに入り、流入口５６を通過して本体５１内に導かれる。また、本体５１上部に貯留する高温の給湯水は、流出口５７を通過して流出部５２ｂに入り、下端側５５からタンク外に排出される。貯湯タンク５０は、このような構成としたため、後述のようにタンク上部から水道水を供給し、タンク下部から給湯供給する供給方式に好適となる。
【００２３】
次に、本発明の第五の実施形態について図５をも参照して説明する。同図は、本実施形態に係る貯湯タンク６０を示している。貯湯タンク６０も貯湯タンク４０と同じく、タンク上部から水道水又は冷温水を供給し、タンク下部から給湯供給する方式に適したタイプである。貯湯タンク６０が貯湯タンク４０と異なる点は、貯湯タンク６０では貫通管が複数の管群により構成されていることである。
すなわち、貫通管６２は４本のパイプ６２ａ乃至６２ｄにより構成されている。
このうちパイプ６２ａ、６２ｂは流入部を構成し、また、パイプ６２ｃ、６２ｄは流出部を構成している。パイプ６２ａ、パイプ６２ｂの下部には流入口６３ａ、６３ｂが設けられており、また、パイプ６２ｃ、パイプ６２ｄの上部には流出口６３ｃ、６３ｄ（図面裏側のため表示していない）が設けられている。
貫通管６２の上端部はプレート６５により密閉接合されており、さらにその上部はレジューサ６６と接合している。プレート６５にはパイプ６２ａ、６２ｂの内径と同径の円孔６５ａ及び６５ｂが穿孔されており、不図示の給水ラインから供給される冷水を、流入部であるパイプ６２ａ及びパイプ６２ｂに導くように構成されている。同様に、貫通管６２の下端部はプレート６７に密閉接合されており、さらにその上部はレジューサ６８と接合している。プレート６７には円孔６７ｃ及び６７ｄが穿孔されており、タンク上部の温水を不図示の給湯ライン又は次段の貯湯タンクに導くように構成されている。
本実施形態における温水の流れは第四の実施形態と同様であるので、説明は省略する。
次に、本発明の第六の実施形態に係る貯湯システムについて説明する。図６に示すように、本実施形態は第一の実施形態に係る貯湯タンクと第三の実施形態に係る貯湯タンクとを交互に配置した貯湯システムである。すなわち、同図において貯湯システム４０は、第一の実施形態と同タイプの２基の貯湯タンク４１、４３と、これらの間に配置される第三の実施形態と同タイプの貯湯タンク４２を備えている。さらに本システムにおいては、不図示のコジェネ排熱を回収する熱交換器４８、３基の貯湯タンク及び熱交換器４８間を結ぶ循環ラインＬ１乃至Ｌ４、排熱回収ラインＬ５、水道供給ラインＬ６、給湯ラインＬ７、循環ラインＬ４経路内に設けられる循環ポンプ４６、開閉弁Ｖ２及び水道供給ラインＬ７経路内に設けられる開閉弁Ｖ１、逆止弁Ｖ３を主要構成とする。
【００２４】
３基の貯湯タンク単体の構成、機能は上述の各実施形態に係る貯湯タンクと同一であるので説明を省略し、全体システムの機能について以下に説明する。なお、後述するように、各循環ラインの温水流れ方向は給湯需要の有無によって逆転するが、ここでは給湯需要が有る場合の流れ方向に対応して各貯湯タンクの各部名称が付されている。従って、給湯需要がない場合については、各部名称と温水の流れとが一致していないことに留意する必要がある。
【００２５】
（給湯需要がない状態）
定常状態においては、各貯湯タンク内の温水温度分布は境界層を介して上部が高温、下部が低温の２層の状態で蓄えられている（図６のＴ１乃至Ｔ６）。ここでは便宜上、これら各部の温水を高温水（温度Ｔ１）、高中温水（温度Ｔ２）、中高温水（温度Ｔ３）、中低温水（温度Ｔ４）、低中温水（温度Ｔ５）、低温水（温度Ｔ６）と称することにする。ここに、Ｔ１＞Ｔ２、Ｔ３＞Ｔ４、Ｔ５＞Ｔ６であり、かつ、Ｔ２≒Ｔ３、Ｔ４≒Ｔ５の関係がある。定常状態においてこのような温度分布が維持されるのは、以下の理由による。なお、温水の流れは図５の実線矢印の向きである。
【００２６】
放熱等により貯湯タンク４１の上部温度Ｔ１が所定の温度以下になった場合、循環ポンプ４６が稼動して、貯湯タンク４３の低温水が熱交換器４８を通って温められ、高温水となって貯湯タンク４１に補給される。この場合、貯湯タンク４３下部の低温水（温度Ｔ６）は流入口４３ｅから流入部４３ｃに取り込まれ、さらに循環ラインＬ４を経由して熱交換器４８に導かれる。ここで熱媒ラインＬ５を循環する熱媒から受熱して高温となり、循環ラインＬ１を経由して貯湯タンク４１の流出部４１ｄに導かれ、さらに流出口４１ｆを通過してタンク内部に取り込まれる。流入する高温水はタンク上部に貯留している高温水（Ｔ１）とは混合するが、タンク下部の高中温水（Ｔ２）とは混合することなく、境界層を介して高温水層と高中温水層との２層を維持したまま貯留されることになる。さらに、高温水の補給により、高温水層が高中温水層を押し下げる形となるため、タンク下部の高中温水は流入口４１ｅを通過して流入部４１ｃに導かれる。高中温水は、さらに循環ラインＬ２を経由して貯湯タンク４２の貫通管４２ａに導かれ、貫通管４２ａ上部の流出口４２ｆからタンク内上部に流入する。このようにして貯湯タンク４１と同様に中高温水、中低温水の２層が形成維持される。全く同様の作用により貯湯タンク４３においても低中温水、低温水の２層が形成維持される。なお、上述の説明では予め各貯湯タンク内に境界層を介して２つの温度層が存在する例を示したが、当初、温度層が存在しない状態であっても、上述のように排熱との熱交換が行われることにより、時間的経過に伴って各貯湯タンク内に境界層及び２つの温度層が形成されることになる。
【００２７】
（給湯需要が生じた場合）
次に給湯需要が生じたときの作用について説明する。この場合の温水の流れは、図４の破線矢印の向きである。貯湯タンク４１上部の高温水（温度Ｔ１）が給湯ラインＬ７を経由して不図示の給湯栓等に供給されると、貯湯タンク４１内の水圧が低下するため、循環ラインＬ２を経由して貯湯タンク４２から貯湯タンク４１に中高温水が補給されることになる。この場合、貯湯タンク４２上部の中高温水は、流出口４２ｆ、流出部４２ｄを経由して貯湯タンク４１下部に流入することになる。一方、貯湯タンク４１下部には上述のように高中温水（温度Ｔ２）が蓄えられており、Ｔ２≒Ｔ３であるため混合による温度変化は僅かである。このため、既に形成されている２つの温度層が維持される。
【００２８】
同様に連鎖的に貯湯タンク４３から貯湯タンク４２に温水が補給されることになるが、貯湯タンク４１と同様にして貯湯タンク４２の温度分布も維持される。
さらに、貯湯タンク４２への温水補給により貯湯タンク４３の水位が所定の値以下になると、弁Ｖ１開、弁Ｖ２閉となり、水道水が貯湯タンク４３に下部に補給される。この場合も水道水は低温水（Ｔ５）とは混合することなく、既に形成されている温度分布が維持される。
【００２９】
なお、上述の説明では貯湯タンクごとに温水の流れを段階的に示したが、実際にはこれらの工程は連鎖的にほぼ同時に行われる。
また、本実施形態では貯湯タンクの数を３基としたが、これに限らず任意の数を選択することができる。この場合、２つのタイプの貯湯タンクを交互に配置することにより、各貯湯タンクの接続配管を短くすることができる。
また、本実施形態では各貯湯タンクを直列に接続した例を示したが、これに限らず並列に接続することもできる。この場合には、複数の貯湯タンクをまとめて１つの貯湯タンクと考えることができる。
【００３０】
【発明の効果】本発明によれば、貯湯タンクの温水入口側と出口側を貫通する貫通管を設け、給水・給湯配管を貫通管と直接接合する構造としたため、従来不可能であった薄肉の貯湯タンクに大口径の給水・給湯配管を接続することが可能となった。
【００３１】
また、貯湯タンクに薄肉材料を用いることができるため、コストダウンが可能となった。
貫通管を管群により構成するタイプの貯湯タンクにおいては、製作が容易であり、さらなるコストダウンが可能となった。
また、貫通管を管軸に対して垂直方向に区画した貯湯タンクと貫通管を管軸に対して平行方向に区画した貯湯タンクとを交互に配置した貯湯システムにおいては、前段貯湯タンク上部の温水を下部配管を介して取り出し、次段貯湯タンク下部の温水と混合できるため、貯湯タンク間を結ぶ配管延長を最短にすることが可能になった。
【図面の簡単な説明】
【図１】本発明の第一の実施形態に係る貯湯タンクを示す図である。
【図２】本発明の第二の実施形態に係る貯湯タンクを示す図である。
【図３】本発明の第三の実施形態に係る貯湯タンクを示す図である。
【図４】本発明の第四の実施形態に係る貯湯タンクを示す図である。
【図５】本発明の第五の実施形態に係る貯湯・給湯システムを示す図である。
【図６】本発明の第六の実施形態に係る貯湯・給湯システムを示す図である。
【符号の説明】
１、２０、３０、４１、４２、４３、５０、６０・貯湯タンク
２……本体
２ａ……円筒部
２ｂ、２ｃ……円蓋部
５、２２，３２，４１ａ、４２ａ、４３ａ、５２、６２……貫通管
５ａ、２２ａ、３２ａ，４１ｃ、４２ｃ、４３ｃ、５２ａ、６２ａ……流入部
５ｂ、２２ｂ、３２ｂ，４１ｄ、４２ｄ、４３ｄ、５２ｂ、６２ｂ……流出部
８……熱交換コイル
１０、２６、３６、４１ｅ、４２ｅ、４３ｅ、５６、６３ａ、６３ｂ……流入口
１１、２７、３７、４１ｆ、４２ｆ、４３ｆ、５７、６３ｃ、６３ｄ……流出口
１２、２３、３３、４１ｂ、４２ｂ、４３ｂ、５３……隔壁
【図１】
2004156837.tif 000003
【図２】
2004156837.tif 000004
【図３】
2004156837.tif 000005
【図４】
2004156837.tif 000006
【図５】
2004156837.tif 000007
【図６】
2004156837.tif 000008